(57)【要約】      （修正有）【課題】上方に対する光の照射を防止しながら下方及びセード内全体を均一に照明でき、ＬＥＤからの熱による電源ユニットの劣化を防止できるＬＥＤ照明器具を提供する。【解決手段】少なくとも１個のＬＥＤ素子が配列されたＬＥＤ基板及び外周に多数の放熱フィンが設けられた放熱部材１１からなるＬＥＤ器具９と、上記ＬＥＤ器具と別体に設けられ、ＬＥＤ素子に駆動電流を印加する電源ユニット１９と、上記ＬＥＤ器具の周囲に所要の間隔をおき、少なくとも光照射方向の一方端面が開口したセード２１と、ＬＥＤ器具の光照射側に取り付けられ、出力される光をＬＥＤ素子の光照射範囲より拡大する湾曲状の光拡散部材１７と、を備え、ＬＥＤ素子から出力される光をセードにおける開口端側の必要領域へ照射すると共に光拡散部材によりセードの他方端側へ拡散させる。【選択図】図１
0003184156.tif 000002
【実用新案登録請求の範囲】
【請求項１】
所定の方向へ光を照射する少なくとも１個のＬＥＤ素子が配列されたＬＥＤ基板及び外周に多数の放熱フィンが設けられた放熱部材からなるＬＥＤ器具と、
上記ＬＥＤ器具と別体に設けられ、ＬＥＤ素子に駆動電流を印加する電源ユニットと、
上記ＬＥＤ器具の周囲に所要の間隔をおき、少なくとも光照射方向の一方端面が開口したセードと、
ＬＥＤ器具の光照射側に取り付けられ、出力される光をＬＥＤ素子の光照射範囲より拡大する光拡散部材と、
を備え、
ＬＥＤ素子から出力される光をセードにおける開口端側の必要領域へ照射すると共に光拡散部材によりセードの他方端側へ拡散して少なくともセード内を照明可能にしたセード付きＬＥＤ照明器具。
【請求項２】
請求項１において、
セードは、少なくとも光照射方向の一方端面が開口した円筒形状、各筒形状、截頭円錐形状、異形断面筒形状のいずれかとしたセード付きＬＥＤ照明器具。
【請求項３】
請求項１において、
ＬＥＤ器具は、壁面に固定された取付け台を介して取り付けられるセード付きＬＥＤ照明器具。
【請求項４】
請求項３において、
電源ユニットは、取付け台、壁面、壁面内、部屋に設けられる家具のいずれかに取り付けたセード付きＬＥＤ照明器具。
【請求項５】
請求項１において、
ＬＥＤ器具は、床面及び卓上のいずれかに設置される台座から上方へ延出する支持パイプに取り付けられるセード付きＬＥＤ照明器具。
【請求項６】
請求項５において、
電源ユニットは、台座、支持パイプのいずれかに設置されるセード付きＬＥＤ照明器具。
【請求項７】
請求項１において、
上記放熱部材は、熱伝導率が高い金属ブロック及び金属板のいずれかとし、その照射側面にＬＥＤ基板を設けたセード付きＬＥＤ照明器具。
【考案の詳細な説明】
【技術分野】
【０００１】
本考案は、壁面やスタンドに設けられ、上方に対する光の照射を抑制して必要領域のみを有効に照明することが可能なセード付きＬＥＤ照明器具に関する。
【背景技術】
【０００２】
特許文献1には、光源に蛍光灯を使用し、その周囲に上部及び下部がそれぞれ開口したセードを取り付けたスタンド式のセード付き照明器具が開示されている。該特許文献1においては、光源として蛍光灯を使用しているが、この種の光源として電球（白熱灯）を使用するのが一般的である。
【０００３】
例えばフットライト等のようなセード付き照明器具は、主にセード内全体と例えば下方の必要領域を局所的に照明する用途に使用するものであるが、光源として使用される蛍光灯や電球は、その周囲全体に光を照射するため、その一部がセードの上部開口を通過して照明を望まない上方の天井に照射され、照明が不要な領域を必要以上に明るくする問題を有している。
【０００４】
一方、近年においては、消費電力が多く、低寿命な電球の生産中止により上記したセード付き照明器具に低消費電力で、長寿命の特性を有したＬＥＤ電球を光源として使用する割合が高くなっている。しかし、このＬＥＤ電球は、電源ユニットを一体に設ける構成とするため、その軸線方向が長くると共に光の照射角度が狭い欠点を有し、必要領域を有効に照明できない問題を有している。
【０００５】
即ち、ＬＥＤ電球をセード付き照明器具の光源として下向きに使用すると、上方に対する光の照射を抑制することができるが、該ＬＥＤ電球を例えばセードの上部に配置した場合であっても、図４に示すように該ＬＥＤ電球の取付け位置より下方の限定された領域になると共にセード内全体を照明できない問題を有している。
【０００６】
また、ＬＥＤ基板に放熱部材及び電源ユニットを一体化したＬＥＤ電球にあっては、上記したようにＬＥＤ自体は、低消費電力で、長寿命の特性を有しているが、電源ユニットの構成部品、特にコンデンサにあっては、ＬＥＤ素子から発生する熱により劣化し易い問題を有している。
【０００７】
このようなＬＥＤ電球をセード付き照明器具の光源に使用する場合、セード内における空気の流動性が悪く、ＬＥＤ基板と電源ユニットの間に放熱部材を一体化した構成であっても、電源ユニットを有効に冷却することが困難で、ＬＥＤ電球自体が低寿命化する問題を有している。
【先行技術文献】
【特許文献】
【０００８】
【特許文献１】実用新案登録第３０９７３１４号公報
【考案の概要】
【考案が解決しようとする課題】
【０００９】
解決しようとする問題点は、セード付き照明器具の光源としてＬＥＤ電球を使用した場合には、必要領域及びセード内全体を有効に照明できない点である。
【００１０】
ＬＥＤ基板に放熱部材及び電源ユニットを一体化したＬＥＤ電球をセード付き照明器具の光源に使用する場合、ＬＥＤからの熱により電源ユニットが劣化し易く、ＬＥＤ電球自体が低寿命化する点である。
【課題を解決するための手段】
【００１１】
本考案は、所定の方向へ光を照射する少なくとも１個のＬＥＤ素子が配列されたＬＥＤ基板及び外周に多数の放熱フィンが設けられた放熱部材からなるＬＥＤ器具と、上記ＬＥＤ器具と別体に設けられ、ＬＥＤ素子に駆動電流を印加する電源ユニットと、上記ＬＥＤ器具の周囲に所要の間隔をおき、少なくとも光照射方向の一方端面が開口したセードと、ＬＥＤ器具の光照射側に取り付けられ、出力される光をＬＥＤ素子の光照射範囲より拡大する光拡散部材と、を備え、ＬＥＤ素子から出力される光をセードにおける開口端側の必要領域へ照射すると共に光拡散部材によりセードの他方端側へ拡散して少なくともセード内を照明可能にしたことを最も主要な特徴とする。
【考案の効果】
【００１２】
本考案のセード付きＬＥＤ照明器具は、軸線方向長さを短くすることができ、上方に対する光の照射を防止しながら必要領域及び少なくともセード内を有効に照明できるという利点がある。
【００１３】
また、ＬＥＤからの熱により電源ユニットが劣化するのを防止し、長期に亘って照明するのを可能にするという利点がある。
【図面の簡単な説明】
【００１４】
【図１】セード付きＬＥＤ照明器具の概略を示す部分破断斜視図である。
【図２】ＬＥＤ器具を示す説明図である。
【図３】セード付きＬＥＤ照明器具による照明状態を示す説明図である。
【図４】従来のセード付きＬＥＤ照明器具による照明状態を示す説明図である。
【図５】放熱部材の変更例を示す説明図である。
【考案を実施するための形態】
【００１５】
ＬＥＤ素子から出力される光をセードにおける開口端側の必要領域へ照射すると共に光拡散部材によりセードの他方端側へ拡散して少なくともセード内を照明可能にする。
【実施例１】
【００１６】
以下、本考案を壁掛け式のセード付き照明器具に実施した実施例に基づいて説明する。
図１及び図２に示すように、建造物の壁面１には、取付け台３が垂直に固定され、該取付け台３には、水平方向へ延出した後に後述するセード５の高さに対応した長さで上方へ起立し、上部が水平方向へ延出する取付けアーム７が固定、または水平方向へ回動するように設けられる。上記取付けアーム７の上部にて水平方向へ延出するアームの先端部には、取付け板７ａが設けられる。
なお、上記取付け台３には電源スイッチ又は電源スイッチを兼ねた調光摘み３ａが設けられる。
【００１７】
該取付け板７ａの下面には、セード付きＬＥＤ照明器具５が下方へ光を照射するように取り付けられる。上記セード付きＬＥＤ照明器具５は、ＬＥＤ器具９とセード２１により構成され、ＬＥＤ器具９は、上記取付け板７ａに固定される放熱部材１１の下面中心部にＬＥＤ基板１３を一体化して構成される。
【００１８】
上記放熱部材１１は、熱伝導効率が高いアルミニウム材からなり、外周に多数の放熱フィン１１ａが設けられると共に中心部にＬＥＤ基板９ｂに接続される電線１５を挿通する貫通孔１１ｂが形成される。また、ＬＥＤ基板１３には、要求される光束に応じた１個以上のＬＥＤ素子１３ａが配列される。
【００１９】
上記放熱部材１１の下面には、光拡散部材としての拡散カバー１７が上記ＬＥＤ基板１３を覆うように取り付けられる。該拡散カバー１７は、ポリカーボネイト、ポリアセタール等の耐熱合成樹脂材やガラスにより所要曲率の湾曲状（ドーム状）に形成される。
【００２０】
上記取付け台３には、商用交流電源を所要電圧の直流電流に整流及び変圧する電源ユニット１９が取り付けられ、該電源ユニット１９の出力側には、ＬＥＤ基板１３に接続される電線１５が接続される。
【００２１】
上記取付け板７ａの上面には、セード２１がＬＥＤ器具９に対して所要の間隔をおいて全体を覆うように取り付けられる。即ち、上記取付けアーム７取付け板７ａの先端部には、取付け軸７ｂが立設され、該取付け軸７ｂは、上記セード２１の上部開口を跨ぐように取り付けられた支持板２１ａの長手方向中間部に形成された貫通孔２１ｂ内に挿嵌されて支持される。
【００２２】
該セード２１は、適宜の高さ及び外径で、光の透過光量を調整する色に着色されたポリエステル、ＡＳ樹脂、アクリル樹脂や布等で、上部及び下部が開口した円筒状に形成される。該セード２１の外径は、該セード２１内におけるＬＥＤ器具９の取付け高さ位置と拡散カバー１７により光の拡散角度に応じて決定される。
【００２３】
なお、セード２１としては、上記円筒形状に限定されるものではなく、少なくとも光の照射端側（本例においては、下端面）が開口した角筒形状、截頭円錐形状等の各種形状であってもよい。
【００２４】
次に上記のように構成されたセード付きＬＥＤ照明器具５による照明作用を説明すると、取付け台３に設けられた電源スイッチ３ａがＯＮ操作されると、ＬＥＤ素子１３ａに電源ユニット１９からの直流駆動電流が印加されて光を下方に対して所要の照射範囲（角度）で照射する。
【００２５】
その際、拡散カバー１７を設けない場合には、ＬＥＤ素子１３ａから出力される光の照射範囲を、例えば図４に示す照射範囲とした場合には、セード２１の下半分から下方の狭い領域しか照明することができない。
【００２６】
本実施例においては、図３に示すように電源ユニット１９をＬＥＤ器具９と別体としてその軸線方向長さを短くすることにより光の照射端をセード２１の上方に位置させ、上記拡散カバー１７によりＬＥＤ素子１３ａからの光をセード２１の上部に至るように拡散し、下方の必要領域及びセード２１内を有効に照明することができる。
【００２７】
なお、セード２１内の上部に至るように照射される光の一部は、セード２１の内周面により反射してセード２１の上部外側へ拡散して照射される。
【００２８】
上記説明は、壁面１に取り付けられるセード付きＬＥＤ照明器具５により本考案を説明したが、床面や卓上に設置されるスタンド式のセード付きＬＥＤ照明器具に付いても実施可能であることは、勿論である。
【００２９】
また、壁面に取り付け型のセード付きＬＥＤ照明器具５にあっては、電源ユニット１９を壁面内や取付けアーム７、部屋内に設置される家具等のように熱の影響を受けにくい箇所に設置してもよく、またスタンド式のセード付きＬＥＤ照明器具にあっては、上記した他に上下方向へ延出する支持管内或は台座内に設置してもよい。
【００３０】
更に、上記説明は、セード付きＬＥＤ照明器具５の光照射方向を下方としたが、本考案はこれに限定されるものではなく、例えば主に天井側を照射する照明器具として使用する場合には、セード付きＬＥＤ照明器具５の光照射方向を上方、斜め上方、また主に床側を照射する場合には、斜め下方、横方向を向くようにしてもよいことは勿論である。
【００３１】
また更に、上記説明は、放熱部材１１を角柱または円柱状のブロックにより構成したが、図５に示すように熱伝導率が高く、セード２１における非照射側の開口を覆う大きさの四角形状、円形状で、平面状或は外周部が湾曲したアルミニウム板、鉄板、ステンレス板等の金属板材５１とし、取付けアーム７の先端部に対して角度変更可能に支持し、その照射側面にＬＥＤ基板１３を取り付けた構成とし、該金属板材５１により放熱しながら背面側に対する光の照射を抑制した状態で主に正面側へ光を照射することができる。
【００３２】
該金属板材５１の照射側面には、クロームメッキしたり、反射シールを貼着したりしてＬＥＤ素子１３ａから出力される光を所望の方向に照射させてもよい。
【符号の説明】
【００３３】
１  壁面
３  取付け台
５  セード付きＬＥＤ照明器具
７  取付けアーム
７ａ  取付け板
７ｂ  取付け軸
９  ＬＥＤ器具
１１  放熱部材
１１ａ  放熱フィン
１１ｂ  貫通孔
１３  ＬＥＤ基板
１３ａ  ＬＥＤ素子
１５  電線
１７  光拡散部材としての拡散カバー
１９  電源ユニット
２１  セード
２１ａ  支持板
５１  金属板材
【図１】
0003184156.tif 000003
【図２】
0003184156.tif 000004
【図３】
0003184156.tif 000005
【図４】
0003184156.tif 000006
【図５】
0003184156.tif 000007